(57)【特許請求の範囲】
【請求項１】
配信局から配信される情報を受信時に選択的に記録する受信情報記録装置であって、
記録を所望する番組に関連した検索キー情報が設定可能な検索キー情報設定手段と、
前記配信局から配信される番組に関連した番組関連情報を受信し、該番組関連情報の内容を認識して認識情報を得る情報認識手段と、
前記検索キー情報と前記認識情報との比較結果に基づき要記録番組を決定し、該要記録番組の実内容情報の受信時に自動的に記録する受信情報記録手段とを備え、
前記配信局は番組に関する情報が予め蓄積された蓄積番組情報を有し、
前記検索キー情報は第１及び第２の検索キー情報を含み、
前記蓄積番組情報から前記第１の検索キー情報に関連する情報の検索を指示する検索プログラムを前記配信局に転送して、前記配信局側で前記蓄積番組情報を検索対象として前記検索プログラムを実行させ、その結果得られる一次検索済み受信情報を受信する検索代行手段をさらに備え、
前記番組関連情報は前記一次検索済み受信情報を含み、
前記一次検索済み受信情報及び前記認識情報は番組の配信時間に関する情報を含み、
前記受信情報記録手段は前記第２の検索キー情報と前記認識情報との比較結果に基づき前記要記録番組を決定し、前記要記録番組の配信時間を考慮し、前記一次検索済み受信情報の配信後に前記配信局から配信される前記要記録番組の前記実内容情報を記録する、
受信情報記録装置。
【請求項２】
請求項１記載の受信情報記録装置であって、
前記番組は複数の番組を含み、
前記認識情報は前記複数の番組それぞれの配信時間に関する情報を含む、
受信情報記録装置。
【請求項３】
請求項１あるいは請求項２記載の受信情報記録装置であって、
前記受信情報記録手段は、前記要記録番組の前記実内容情報を受信するに際して前記配信局に配信要求を行う必要がある場合に、前記要記録番組の前記実内容情報の配信を要求する配信要求信号を前記配信局に自動送信する、
受信情報記録装置。
【発明の詳細な説明】
【０００１】
【発明の属する技術分野】
この発明は、配信局から配信される映像情報及び音声情報等の情報を受信時に選択的に記録する受信情報記録装置に関する。
【０００２】
【従来の技術】
テレビ局等の情報配信局から配信される映像情報や音声情報等の情報を受信時に記録する場合、情報配信局から情報を受信するユーザが、情報配信局の番組プログラム等の予め準備された番組情報に基づきユーザ自身の判断で記録を所望する番組を選別し、記録を所望する番組がＶＴＲ等の情報記録装置を用いて記録できるように、ユーザ自らの操作によって情報記録の予約設定等を行うのが一般的であった。
【０００３】
【発明が解決しようとする課題】
上述のように、番組の情報記録を行うか否かの判断及び情報記録の操作をユーザ自身が行うため、受信情報の選択的記録にはユーザに依存する要素が多く、記録すべき受信情報の記録し損なったり、記録すべき番組を誤って予約設定したりする等の記録ミスが生じやすいという問題点があった。
【０００４】
この発明は上記問題点を解決するためになされたもので、番組の情報記録を行うか否かの判断及び情報記録の操作に対するユーザ負担を最小限に抑え、記録ミスが生じにくい受信情報記録装置を得ることを目的とする。
【０００９】
【課題を解決するための手段】
この発明に係る請求項１記載の受信情報記録装置は、配信局から配信される情報を受信時に選択的に記録する装置であって、記録を所望する番組に関連した検索キー情報が設定可能な検索キー情報設定手段と、前記配信局から配信される番組に関連した番組関連情報を受信し、該番組関連情報の内容を認識して認識情報を得る情報認識手段と、前記検索キー情報と前記認識情報との比較結果に基づき要記録番組を決定し、該要記録番組の実内容情報の受信時に自動的に記録する受信情報記録手段とを備えている。
さらに、請求項１の発明は、前記配信局は番組に関する情報が予め蓄積された蓄積番組情報を有し、前記検索キー情報は第１及び第２の検索キー情報を含み、前記蓄積番組情報から前記第１の検索キー情報に関連する情報の検索を指示する検索プログラムを前記配信局に転送して、前記配信局側で前記蓄積番組情報を検索対象として前記検索プログラムを実行させ、その結果得られる一次検索済み受信情報を受信する検索代行手段をさらに備え、前記番組関連情報は前記一次検索済み受信情報を含み、前記一次検索済み受信情報及び前記認識情報は番組の配信時間に関する情報を含み、前記受信情報記録手段は前記第２の検索キー情報と前記認識情報との比較結果に基づき前記要記録番組を決定し、前記要記録番組の配信時間を考慮し、前記一次検索済み受信情報の配信後に前記配信局から配信される前記要記録番組の前記実内容情報を記録する。
【００１０】
また、請求項２の発明は、請求項１記載の受信情報記録装置であって、前記番組は複数の番組を含み、前記認識情報は前記複数の番組それぞれの配信時間に関する情報を含んでいる。
【００１１】
さらに、請求項３の発明は、請求項１あるいは請求項２記載の受信情報記録装置であって、前記受信情報記録手段は、前記要記録番組の前記実内容情報を受信するに際して前記配信局に配信要求を行う必要がある場合に、前記要記録番組の前記実内容情報の配信を要求する配信要求信号を前記配信局に自動送信する。
【００１２】
【発明の実施の形態】
＜概要＞
図１はこの発明の実施の形態１〜実施の形態３のデジタルコンテンツ情報記録装置が含まれるデジタルコンテンツ情報利用環境の概要を示す説明図である。同図に示すように、デジタルコンテンツ情報配信局１から伝送経路３を介してデジタルコンテンツ情報４がデジタルコンテンツ情報受信装置２に配信される。一方、デジタルコンテンツ情報４を受信するデジタルコンテンツ情報受信装置２は、伝送経路３を介して所望の番組の配信をデジタルコンテンツ情報配信局１に要求する等の制御信号５を送信する機能を必要に応じて持たせている。
【００１３】
なお、伝送経路３としては、インターネット等のコンピュータネットワーク、ＣＡＴＶ等で利用されるケーブル、高速電話回線、ＢＳ，ＣＳ放送等の人工衛星あるいは地上波を利用した無線等が考えられる。なお、デジタルコンテンツ情報４と制御信号５の伝送経路３として同一の媒体を用いても、異なる媒体を用いても良い。
【００１４】
デジタルコンテンツ情報４としては、画像情報、音声情報、テキスト情報、番組のインデックス情報（チャンネル、放送時間等の情報）を含む制御情報等が考えられる。音声情報として、主音声，副音声の選択、ステレオ，モノラル等の選択が可能な情報も含まれる。
【００１５】
図２は、デジタルコンテンツ情報受信装置２の内部構成の概要を示す説明図である。同図に示すように、デジタルコンテンツ情報記録判断部２０はデジタルコンテンツ情報４の情報認識を行い、認識結果から記録すべき要記録番組の有無を判断し、要記録番組の判断時あるいは判断後にデジタルコンテンツ情報４として得られる要記録番組の実番組コンテンツ情報をストレージメディア２７に自動的に記録する。
【００１６】
コンテンツ選択部４１は、デジタルコンテンツ情報配信局１から配信されるデジタルコンテンツ情報４から、予め定められたチャンネル単位に情報を選択して再生用モニタ４２、あるいは録画用ビデオ４３に出力したり、ストレージメディア２７に記録されたデジタルコンテンツ情報を選択して再生用モニタ４２に出力したりする。
【００１７】
再生用モニタ４２はコンテンツ選択部４１で選択された情報を表示し、録画用ビデオ４３は予約設定等のユーザの手動操作によって、受信される番組のコンテンツ情報の録画（通常録画）が可能である。なお、図２では図示しないが、ストレージメディア２７に記録されたデジタルコンテンツ情報専用の再生用のモニタを別途設けても良い。また、ストレージメディア２７を録画用ビデオ４３の代わりに通常録画用として用いることもできる。
【００１８】
＜実施の形態１＞
（構成）
図３はこの発明の実施の形態１であるデジタルコンテンツ情報記録装置の内部構成とそれに対応するデジタルコンテンツ情報配信局が提供する情報を示す説明図である。なお、全体構成は図１で示した通りであるが、実施の形態１ではデジタルコンテンツ情報受信装置２が制御信号５を出力する機能は不要である。また、図３では説明の都合上、伝送経路３の図示は省略している。
【００１９】
同図に示すように、デジタルコンテンツ情報記録判断部２０Ａは、チャンネルフィルター２１、マルチテンポラリ・バッファメモリ２２（２２Ａ，２２Ｂ，２２Ｃ，…）、検索キー情報入力部２３、情報認識部２４、合致検出部２５、及び記録制御部２６から構成される。
【００２０】
実施の形態１のデジタルコンテンツ情報記録装置はデジタルコンテンツ情報配信局１から配信されるデジタルコンテンツ情報が、実際に配信される番組のデジタルコンテンツ情報である実番組コンテンツ情報１１（１１Ａ，１１Ｂ，１１Ｃ，…）を受信しながら、選別して記録する場合を想定している。実番組コンテンツ情報１１Ａ〜１１ＣはそれぞれチャンネルＡ〜Ｃのデジタルコンテンツ情報である。
【００２１】
チャンネルフィルター２１は、実番組コンテンツ情報１１を受け、実番組コンテンツ情報１１から予め受信許可されたチャンネルのデジタルコンテンツ情報を、チャンネル（ＣＨ．Ａ，Ｂ，Ｃ，…）毎に割り当てられたマルチテンポラリ・バッファメモリ２２に与える。例えば、チャンネルフィルター２１にチャンネルＡ，Ｂ，Ｃの受信許可が設定されている場合、マルチテンポラリ・バッファメモリ２２Ａ〜２２Ｃには、実番組コンテンツ情報１１Ａ〜１１Ｃがそれぞれ付与される。
【００２２】
マルチテンポラリ・バッファメモリ２２は、チャンネルフィルター２１から付与されるデジタルコンテンツ情報を一時的に格納する。各マルチテンポラリ・バッファメモリ２２Ａ，２２Ｂ，２２Ｃ，…それぞれの格納容量は、後述する合致検出部２５で合致の有無が確定する時間分の実番組コンテンツ情報１１が十分格納可能な容量に設定される。例えば、合致の有無の判断が必ず番組開始後５分以内に確定するのであれば、５分の実番組コンテンツ情報１１が十分格納可能な容量に、番組終了まで合致の有無の判断が確定しないのであれば、開始から終了に至る実番組コンテンツ情報１１が十分格納可能な容量に、マルチテンポラリ・バッファメモリ２２の容量が設定される。
【００２３】
検索キー情報入力部２３には、ユーザによってデジタルコンテンツ情報の記録を所望することを後述する合致検出部２５が的確に判断可能な検索キー情報が入力される。検索キー情報として、例えば、“クラシック音楽”、“サッカー”等の番組ジャンル、特定のグループ名、個人名、地域名等を示す固有名称、あるは特定の輪郭形状、特定のリズム等が考えられる。
【００２４】
情報認識部２４は、音声認識、画像認識、文字認識、及び制御情報の認識等の様々な情報認識処理を用いて、マルチテンポラリ・バッファメモリ２２に格納されたデジタルコンテンツ情報を、検索キー情報と比較可能なレベルまで認識して認識情報Ｉ２４を出力する。なお、画像認識としては、画像内の文字の認識、画像の特徴（人物や風景の輪郭等）の認識がある。また、認識情報Ｉ２４には番組の終了時刻を指示する情報が含まれる。
【００２５】
合致検出部２５は、検索キー情報入力部２３より得た検索キー情報Ｉ２３と情報認識部２４より得た認識情報Ｉ２４とを比較して、予め定められた基準によって両者の合致の有無を番組単位に判断し、合致した番組を要記録番組とした判断結果を示す合致情報Ｉ２５を記録制御部２６に出力する。なお、合致情報Ｉ２５には要記録番組のチャンネル及び終了時刻を指示する情報が含まれる。
【００２６】
記録制御部２６は、全てのマルチテンポラリ・バッファメモリ２２にアクセス可能に構成され、合致情報Ｉ２５に基づき、要記録番組のチャンネルに対応するマルチテンポラリ・バッファメモリ２２に格納されたデジタルコンテンツ情報をストレージメディア２７に記録する。
【００２７】
（動作）
図４は、実施の形態１のデジタルコンテンツ情報記録装置の記録動作を示すフローチャートである。なお、図４のフローチャートでは、一のチャンネルにおける一の実番組コンテンツ情報に対しての記録動作が示されているが、実際にはチャンネルフィルター２１で受信許可された全てのチャンネルの番組単位の実番組コンテンツ情報１１それぞれに対して並列に行われる。
【００２８】
同図を参照して、ステップＳ１でユーザが検索キー情報を検索キー情報入力部２３に入力する。
【００２９】
ステップＳ２で、デジタルコンテンツ情報受信装置２はデジタルコンテンツ情報配信局１から実番組コンテンツ情報１１を受信する。
【００３０】
そして、ステップＳ３で、チャンネルフィルター２１を介して受信許可設定された実番組コンテンツ情報１１をマルチテンポラリ・バッファメモリ２２に一時的に格納しながら、情報認識部２４により、マルチテンポラリ・バッファメモリ２２に格納された実番組コンテンツ情報を認識して、検索キー情報Ｉ２３と比較可能なレベルの認識情報Ｉ２４を出力する。
【００３１】
続いて、ステップＳ４で、合致検出部２５は、検索キー情報Ｉ２３と認識情報Ｉ２４とを比較検証し、合致の有無を示す合致情報Ｉ２５を出力する。このとき、合致情報Ｉ２５が「合致する」を指示する場合はステップＳ５に移行し、「合致しない」を指示する場合は処理を終了する。なお、「合致する」の判断は検索キー情報Ｉ２３と認識情報Ｉ２４とが所定の基準を満足して一致した時点で速やかに行われ、「合致しない」の判断は実番組コンテンツ情報１１の番組終了時等、「合致する」と判断される可能性がゼロに達した時点で行われる。
【００３２】
そして、ステップＳ５で、記録制御部２６の制御下で、ステップＳ４で合致すると判断された要記録番組のチャンネルに対応するマルチテンポラリ・バッファメモリ２２に格納された実番組コンテンツ情報１１をストレージメディア２７に自動的に記録する。この際、マルチテンポラリ・バッファメモリ２２の容量は、合致検出部２５で合致の有無が確定する時間分の実番組コンテンツ情報１１が十分格納可能な容量に設定されているため、番組の開始から終了に至る実番組コンテンツ情報１１を支障無く記録することができる。
【００３３】
このように、実施の形態１のデジタルコンテンツ情報記録装置は、ユーザが検索キー情報を入力するだけで、検索キー情報に合致するすべての実番組コンテンツ情報１１を自動的にストレージメディア２７に記録することができる。
【００３４】
したがって、番組の情報記録を行うか否かの判断及び情報記録の操作に対するユーザ負担は従来に比べ大幅に軽減する。また、実番組コンテンツ情報１１の記録は記録制御部２６の制御下で自動的に行われるため、適切な検索キー情報を検索キー情報入力部２３に入力すれば記録ミスが生じることはない。
【００３５】
加えて、マルチテンポラリ・バッファメモリ２２は複数のチャンネル対応に設けられているため、複数のチャンネルの複数の番組それぞれの実番組コンテンツ情報１１を受信しながら、複数の番組から選別された要記録番組の実番組コンテンツ情報１１を記録することができる。
【００３６】
＜実施の形態２＞
（構成）
図５はこの発明の実施の形態２であるデジタルコンテンツ情報記録装置の内部構成とそれに対応するデジタルコンテンツ情報配信局が提供する情報を示す説明図である。なお、全体構成は図１で示した通りであるが、実施の形態２で後述する放送要求信号ＲＱを出力する必要がない場合はデジタルコンテンツ情報受信装置２が制御信号５を出力する機能は不要である。また、図５では説明の都合上、伝送経路３の図示は省略している。
【００３７】
同図に示すように、デジタルコンテンツ情報記録判断部２０Ｂは、チャンネルフィルター２１、マルチテンポラリ・バッファメモリ２２（２２Ａ，２２Ｂ，２２Ｃ，…）、検索キー情報入力部２３、情報認識部２４、記録制御部２６、ストレージメディア２７、合致検出部２８、及び記録制御タイマー２９から構成される。
【００３８】
実施の形態２のデジタルコンテンツ情報記録装置はデジタルコンテンツ情報配信局１から配信されるデジタルコンテンツ情報が、実施の形態１にように実番組コンテンツ情報１１（１１Ａ，１１Ｂ，１１Ｃ，…）でなく、チャンネル毎に割り当てられた複数の番組の予告編であるチャンネル単位番組プレビュー情報１２（１２Ａ，１２Ｂ，１２Ｃ）を受信し、チャンネル単位番組プレビュー情報１２から要記録番組の存在の有無を判断し、しかる後に配信される実番組コンテンツ情報１１を記録する場合を想定している。
【００３９】
チャンネル単位番組プレビュー情報１２Ａ〜１２ＣはそれぞれのチャンネルＡ〜Ｃのプレビュー情報である。チャンネル単位番組プレビュー情報１２としては、例えば、当該チャンネルで放送される番組それぞれのデモンストレーションフィルム、インデックスキーワードが付加された各番組のタイトル情報等がある。ただし、各番組の放送日時及び放送時間に関する番組記録時間情報はチャンネル単位番組プレビュー情報１２に含まれる。
【００４０】
チャンネルフィルター２１は、チャンネル単位番組プレビュー情報１２あるいは実番組コンテンツ情報１１を受け、予め受信許可されたチャンネルのプレビュー情報あるいは実番組コンテンツ情報をチャンネル（Ａ，Ｂ，Ｃ，…）毎に割り当てられたマルチテンポラリ・バッファメモリ２２に与える。例えば、チャンネルフィルター２１にチャンネルＡ，Ｂ，Ｃの受信許可が設定されている場合、マルチテンポラリ・バッファメモリ２２Ａ〜２２Ｃには、チャンネル単位番組プレビュー情報１２Ａ〜１２Ｃがそれぞれ付与される。
【００４１】
マルチテンポラリ・バッファメモリ２２は、チャンネルフィルター２１から付与されるデジタルコンテンツ情報を一時的に格納する。各マルチテンポラリ・バッファメモリ２２Ａ，２２Ｂ，２２Ｃ，…それぞれの格納容量は、情報認識部２４による情報認識に支障がない程度で良い。
【００４２】
検索キー情報入力部２３には、ユーザによってデジタルコンテンツ情報の記録を所望することを合致検出部２８が的確に判断可能な検索キー情報が入力される。
【００４３】
情報認識部２４は、音声認識、画像認識、文字認識、及び制御情報の認識等の様々な情報認識処理を用いて、マルチテンポラリ・バッファメモリ２２に格納されたプレビュー情報を、検索キー情報Ｉ２３と比較可能なレベルまでチャンネル単位に認識して認識情報Ｉ２４を出力する。
【００４４】
合致検出部２８は、検索キー情報入力部２３より得た検索キー情報Ｉ２３と情報認識部２４より得た認識情報Ｉ２４とを比較して、両者の合致の有無を番組毎に示した合致情報Ｉ２８を記録制御部２６に出力する。合致情報Ｉ２８には合致した番組（要記録番組）の番組記録時間情報が含まれる。また、要記録番組の受信に際しデジタルコンテンツ情報配信局１に対する配信要求が必要な場合は、要記録番組の配信を指示する放送要求信号ＲＱをデジタルコンテンツ情報配信局１に伝達する。
【００４５】
記録制御部２６は合致情報Ｉ２８を受け、合致情報Ｉ２８に含まれる要記録番組の番組記録時間情報に基づき、記録制御タイマー２９の時間制御下で、チャンネル単位番組プレビュー情報１２後に配信される要記録番組の実番組コンテンツ情報１１の放送時間帯に、チャンネルに対応するマルチテンポラリ・バッファメモリ２２を介して、要記録番組の実番組コンテンツ情報１１をストレージメディア２７に記録する。
【００４６】
（動作）
図６は、実施の形態２のデジタルコンテンツ情報記録装置の記録動作を示すフローチャートである。なお、図６のフローチャートでは、一のチャンネル単位番組プレビュー情報に対しての記録動作が示されているが、実際にはチャンネルフィルター２１で受信許可された全てのチャンネルのチャンネル単位番組プレビュー情報１２それぞれに対して行われる。
【００４７】
同図を参照して、ステップＳ１１でユーザが検索キー情報を検索キー情報入力部２３に入力する。
【００４８】
ステップＳ１２で、デジタルコンテンツ情報受信装置２はデジタルコンテンツ情報配信局１からチャンネル単位番組プレビュー情報１２を受信する。
【００４９】
そして、ステップＳ１３で、チャンネルフィルター２１を介して受信許可設定されたチャンネル単位番組プレビュー情報１２をマルチテンポラリ・バッファメモリ２２に一時的に格納しながら、情報認識部２４により、マルチテンポラリ・バッファメモリ２２に格納されたチャンネル単位番組プレビュー情報を認識して、検索キー情報Ｉ２３と比較可能なレベルの認識情報Ｉ２４を出力する。
【００５０】
続いて、ステップＳ１４で、合致検出部２８は、検索キー情報Ｉ２３と認識情報Ｉ２４とを比較検証し、合致の有無を示す合致情報Ｉ２８を出力する。このとき、合致情報Ｉ２８が「合致する」を指示する場合はステップＳ１５に移行し、「合致しない」を指示する場合は処理を終了する。
【００５１】
そして、ステップＳ１５で、番組配信要求が必要な場合は、合致した番組（要記録番組）の配信を要求する放送要求信号ＲＱをデジタルコンテンツ情報配信局１に出力する。
【００５２】
続いて、ステップＳ１６で、記録制御部２６は、要記録番組の実番組コンテンツ情報１１の放送時間帯を考慮して予約設定を行うことにより、チャンネル単位番組プレビュー情報１２の受信後の要記録番組の実番組コンテンツ情報１１の受信時にストレージメディア２７に自動的に記録する。
【００５３】
このように、実施の形態２のデジタルコンテンツ情報記録装置は、ユーザが検索キー情報を入力するだけで、チャンネル単位番組プレビュー情報１２から判断された要記録番組の実番組コンテンツ情報１１を自動的にストレージメディア２７に記録することができる。
【００５４】
したがって、番組の情報記録を行うか否かの判断及び情報記録の操作に対するユーザ負担は従来に比べ大幅に軽減する。また、実番組コンテンツ情報１１の記録は記録制御部２６の制御下で自動的に行われるため、適切な検索キー情報を検索キー情報入力部２３に入力すれば記録ミスが生じることもない。
【００５５】
また、実施の形態２のデジタルコンテンツ情報記録装置は、チャンネル単位番組プレビュー情報１２に含まれる複数の番組から選別して要記録番組を決定することができる。
【００５６】
加えて、実施の形態２の合致検出部２８は、要記録番組の実番組コンテンツ情報１１を受信するに際してデジタルコンテンツ情報配信局１に配信要求を行う必要がある場合に、放送要求信号ＲＱを配信局に自動送信するため、放送要求信号ＲＱを送信する手間もユーザにはかからない。
【００５７】
＜実施の形態３＞
（構成）
図７はこの発明の実施の形態３であるデジタルコンテンツ情報記録装置の内部構成とそれに対応するデジタルコンテンツ情報配信局が提供する情報を示す説明図である。なお、全体構成は図１で示した通りであるが、実施の形態３で放送要求信号ＲＱを出力する必要がない場合はデジタルコンテンツ情報受信装置２が制御信号５を出力する機能は不要である。また、図７では説明の都合上、伝送経路３の図示は省略している。
【００５８】
同図に示すように、デジタルコンテンツ情報記録判断部２０Ｃは、ストレージメディア２７，記録制御タイマー２９、検索キー情報入力部３１、情報認識部３２、検索結果格納部３３、合致検出部３４、及びチャンネルセレクタ３５から構成される。
【００５９】
実施の形態３のデジタルコンテンツ情報記録装置は、実施の形態１あるいは実施の形態２のように、デジタルコンテンツ情報配信局１から実番組コンテンツ情報１１やチャンネル単位番組プレビュー情報１２の配信を待つことなく、デジタルコンテンツ情報配信局１内にデジタルコンテンツ情報受信装置２からロボット型検索によりアクセス可能に予め準備されているチャンネル単位の蓄積チャンネルコンテンツ情報１０（１０Ａ，１０Ｂ，…）にアクセスし、蓄積チャンネルコンテンツ情報１０からロボット型検索エージェント３０の指示に基づく検索によって記録すべき番組を一次検索し、さらに二次検索によって要記録番組を決定し、しかる後に配信される実番組コンテンツ情報１１を記録する場合を想定している。
【００６０】
蓄積チャンネルコンテンツ情報１０として、番組内容を比較的詳細に記録した情報（実番組コンテンツ情報そのものでも良い）やチャンネル単位番組プレビュー情報等がある。ただし、各番組の放送日時及び放送時間に関する番組記録時間情報は蓄積チャンネルコンテンツ情報１０に含まれる。また、蓄積チャンネルコンテンツ情報１０Ａ，１０ＢはそれぞれのチャンネルＡ，Ｂ（ＣＨ．Ａ，Ｂ）の蓄積チャンネルコンテンツ情報である。
【００６１】
検索キー情報入力部３１には、ユーザによってロボット検索用に適した第１の検索キー情報Ｉ３１Ａと、合致検出部３４に与える第２の検索キー情報Ｉ３１Ｂとが入力される。
【００６２】
ロボット型検索エージェント３０は、第１の検索キー情報Ｉ３１Ａでの蓄積チャンネルコンテンツ情報１０に対する検索動作を指示する検索プログラムをデジタルコンテンツ情報配信局１に送信する。検索プログラム中に、検索プログラムによる検索対象を全範囲に設定したり、所定のチャンネルの蓄積チャンネルコンテンツ情報１０に設定したりする等の検索範囲設定も可能である。
【００６３】
デジタルコンテンツ情報配信局１はロボット型検索エージェント３０より受信した検索プログラムを実行し、蓄積チャンネルコンテンツ情報１０のうち、第１の検索キー情報Ｉ３１Ａと相関のある情報を検索結果としてデジタルコンテンツ情報受信装置２の検索結果格納部３３に送信する。この際、検索動作自体はデジタルコンテンツ情報受信装置２内で行われるため、デジタルコンテンツ情報受信装置２は蓄積チャンネルコンテンツ情報１０を受信する必要はない分、効率的に処理できる。
【００６４】
上記のように、一方側からプログラムを他方側に転送し、他方側でプログラムを実行するような環境として、例えば、ｊａｖａ言語等を利用したインターネットによるコンピュータネットワーク環境がある。
【００６５】
検索結果格納部３３（３３Ａ，３３Ｂ，…）は、チャンネル単位に設けられ、対応の蓄積チャンネルコンテンツ情報１０を検索対象とした上記検索プログラムの検索結果である一次検索済みコンテンツ情報を格納する。一次検索済みコンテンツ情報としては、デジタルコンテンツ情報受信装置２側で第１の検索キー情報Ｉ３１Ａに相関があると判断された音声情報、画像情報、文字情報等がある。
【００６６】
情報認識部３２は、検索結果格納部３３に格納された一次検索済みコンテンツ情報に対し、音声認識、画像認識、文字認識、及び制御情報の認識等の様々な情報認識処理を用いて、検索結果情報Ｉ３２Ｂと比較可能レベルに認識して得られる認識情報Ｉ３２を出力する。
【００６７】
合致検出部３４は、認識情報Ｉ３２と第２の検索キー情報Ｉ３１Ｂとを比較して、両者の合致の有無を示した合致情報Ｉ３２を記録制御部３６に出力する。合致情報Ｉ３２には合致した番組（要記録番組）の番組記録時間情報が含まれる。また、配信要求が必要な場合は、要記録番組の配信を指示する放送要求信号ＲＱをデジタルコンテンツ情報配信局１に伝達する。
【００６８】
チャンネルセレクタ３５は、実番組コンテンツ情報１１を受け、実番組コンテンツ情報１１から、記録制御部３６の制御下で予め記録受信許可された実番組コンテンツ情報を記録制御部３６に与える。
【００６９】
記録制御部２６は合致情報Ｉ３４を受け、合致情報Ｉ３４に含まれる要記録番組の番組記録時間情報に基づき、記録制御タイマー２９の時間制御下でしかる後に配信される要記録番組の実番組コンテンツ情報１１の放送時に、要記録番組の実番組コンテンツ情報１１をストレージメディア２７に記録する。
【００７０】
（動作）
図８は、実施の形態３のデジタルコンテンツ情報記録装置の記録動作を示すフローチャートである。
【００７１】
同図を参照して、ステップＳ２１でユーザが第１及び第２の検索キー情報Ｉ３１Ａ及びＩ３１Ｂを検索キー情報入力部３１に入力する。
【００７２】
ステップＳ２２で、デジタルコンテンツ情報受信装置２内のロボット型検索エージェント３０は、第１の検索キー情報Ｉ３１Ａを検索キーとした検索プログラムをデジタルコンテンツ情報配信局１に転送し、デジタルコンテンツ情報配信局１側で第１の検索キー情報Ｉ３１Ａをキーとした検索プログラムを蓄積チャンネルコンテンツ情報１０を検索対象として実行させ、その結果得られる第１の検索キー情報Ｉ３１Ａと相関のある一次検索済みコンテンツ情報をデジタルコンテンツ情報配信局１から受信し、チャンネル単位に検索結果格納部３３に格納する。
【００７３】
そして、ステップＳ２３で、情報認識部３２は、検索結果格納部３３に格納されたチャンネル単位の一次検索済みコンテンツ情報を認識して、第２の検索キー情報Ｉ３１Ｂと比較可能なレベルの認識情報Ｉ３２を出力する。
【００７４】
続いて、ステップＳ２４で、合致検出部３４は、第２の検索キー情報Ｉ３１Ｂと認識情報Ｉ３２とを比較検証し、合致の有無を示す合致情報Ｉ３４を出力する。このとき、合致情報Ｉ３４が「合致する」を指示する場合はステップＳ２５に移行し、「合致しない」を指示する場合は処理を終了する。
【００７５】
そして、ステップＳ２５で、番組配信要求が必要な場合は、合致した要記録番組の配信を要求する放送要求信号ＲＱをデジタルコンテンツ情報配信局１に出力する。
【００７６】
続いて、ステップＳ２６で、記録制御部２６の制御下で、要記録番組の実番組コンテンツ情報１１の放送時間を考慮して要記録番組の実番組コンテンツ情報１１の記録を自動的に予約設定することにより、一次検索済みコンテンツ情報の受信後の要記録番組の実番組コンテンツ情報１１の受信時にストレージメディア２７に記録する。
【００７７】
このように、実施の形態３のデジタルコンテンツ情報記録装置は、ユーザが第１及び第２の検索キー情報を入力するだけで、要記録番組の実番組コンテンツ情報１１を自動的にストレージメディア２７に記録することができる。
【００７８】
したがって、番組の情報記録を行うか否かの判断及び情報記録の操作に対するユーザ負担は従来に比べ大幅に軽減する。また、要記録番組の実番組コンテンツ情報１１の記録は記録制御部３６の制御下で自動的に行われるため、適切な検索キー情報を検索キー情報入力部２３に入力すれば記録ミスも生じない。
【００７９】
加えて、デジタルコンテンツ情報受信装置２は、要記録番組の判定に際し、デジタルコンテンツ情報配信局１側で検索プログラムの実行させて得られる一次検索済みコンテンツ情報のみ受信するだけ済むため、要記録番組の判定用に受信する情報を必要最小限に抑えることができる。
【００８０】
また、実施の形態３のデジタルコンテンツ情報記録装置は、蓄積チャンネルコンテンツ情報１０に含まれる複数の番組から選別して要記録番組を決定することができる。
【００８１】
さらに、実施の形態３の合致検出部３４は、要記録番組の実番組コンテンツ情報１１を受信するに際してデジタルコンテンツ情報配信局１に配信要求を行う必要がある場合に、放送要求信号ＲＱを配信局に自動送信するため、放送要求信号ＲＱを送信する手間もユーザにはかからない。
【００８２】
＜その他＞
なお、上述した実施の形態では、デジタルコンテンツ情報の受信を前提としたが、アナログ情報を内部でデジタル情報に変換する等、デジタルコンテンツ情報受信装置２側での情報認識処理（実施の形態１の一次記憶処理を含む）やデジタルコンテンツ情報配信局１側での検索処理（実施の形態３）が可能になるように、デジタルコンテンツ情報配信局１及びデジタルコンテンツ情報受信装置２を構成すれば、アナログ情報の授受を行うデジタルコンテンツ情報配信局１、デジタルコンテンツ情報受信装置２間でも本発明を適用可能である。
【００８８】
【発明の効果】
請求項１記載の受信情報記録装置は一時検索済み受信情報の受信時に要記録番組を決定し要記録番組の配信時間を考慮することにより、一時検索済み受信情報の配信後に配信される要記録番組の実内容情報を確実に録画することができる。
【００８９】
加えて、検索代行手段は配信局側で蓄積番組情報を検索対象として第１の検索キー情報に関連する情報の検索を指示する検索プログラムを実行させているため、蓄積番組情報自体を受信する必要がない分、効率的に要記録番組を決定することができる。
【００９０】
請求項２記載の受信情報記録装置は複数の番組から選別して要記録番組を決定することができる。
【００９１】
請求項３記載の受信情報記録装置の受信情報記録手段は、要記録番組の実内容情報を受信するに際して配信局に配信要求を行う必要がある場合に、要記録番組の実内容情報の配信を要求する配信要求信号を配信局に自動送信するため、配信要求信号を送信する手間もユーザにはかからない。
【図面の簡単な説明】
【図１】  この発明の実施の形態１〜実施の形態３のデジタルコンテンツ情報記録装置が用いられるデジタルコンテンツ情報利用環境の概要を示す説明図である。
【図２】  デジタルコンテンツ情報受信装置２の内部構成の概要を示す説明図である。
【図３】  この発明の実施の形態１であるデジタルコンテンツ情報記録装置の内部構成とそれに対応するデジタルコンテンツ情報配信局が提供する情報を示す説明図である。
【図４】  実施の形態１のデジタルコンテンツ情報記録装置の記録動作を示すフローチャートである。
【図５】  実施の形態２のデジタルコンテンツ情報記録装置の内部構成とそれに対応するデジタルコンテンツ情報配信局が提供する情報を示す説明図である。
【図６】  実施の形態２のデジタルコンテンツ情報記録装置の記録動作を示すフローチャートである。
【図７】  実施の形態３のデジタルコンテンツ情報記録装置の内部構成とそれに対応するデジタルコンテンツ情報配信局が提供する情報を示す説明図である。
【図８】  実施の形態３のデジタルコンテンツ情報記録装置の記録動作を示すフローチャートである。
【符号の説明】
１  デジタルコンテンツ情報配信局、２  デジタルコンテンツ情報受信装置、３  伝送経路、２０  デジタルコンテンツ情報記録判断部、２１  チャンネルフィルター、２２  マルチテンポラリ・バッファメモリ、２３，３１  検索キー情報入力部、２４，３２  情報認識部、２５，２８，３４  合致検出部、２６，３６  記録制御部、２７  ストレージメディア、２９  記録制御タイマー、３３  検索結果格納部、３５  チャンネルセレクタ
【図１】
0003764303.tif 000002
【図２】
0003764303.tif 000003
【図３】
0003764303.tif 000004
【図４】
0003764303.tif 000005
【図５】
0003764303.tif 000006
【図６】
0003764303.tif 000007
【図７】
0003764303.tif 000008
【図８】
0003764303.tif 000009